(57)【要約】      （修正有）【課題】電子署名付き業務ファイルから電子署名者の連絡先を含む特定の人事情報を検索し、電子署名者と直ぐに連絡を取ることで電子署名付き業務ファイルの内容に関する疑問点を早期に解決できる人事情報検索システムを提供する。【解決手段】データ処理を実行するアプリケーション実行端末１０と、電子署名付き業務ファイル１が格納されるファイルサーバ２０と、社内連絡先を含む人事情報として最新の人事情報及び過去の人事情報が格納される人事データベース３０とがネットワーク４０を介して接続され、電子署名付き業務ファイルの電子署名には、その電子署名者の識別情報が埋め込まれ、アプリケーション実行端末１０は、電子署名付き業務ファイル１から識別情報を抽出し、最新の人事情報又は過去の人事情報の少なくとも何れか一方を検索対象として特定の電子署名者の社内連絡先を含む特定の人事情報を人事データベース３０内で検索する。【選択図】図１
2007004259.tif 000002
【特許請求の範囲】
【請求項１】
データ処理を実行するアプリケーション実行端末と、ネットワークを介して前記アプリケーション実行端末と接続されると共に電子署名付き業務ファイルが格納されるファイルサーバと、所定の会社組織内での社内連絡先を少なくとも含む人事情報として最新の人事情報及び過去の人事情報がそれぞれ整理されて格納されるデータベースとを具備し、前記電子署名付き業務ファイルの電子署名には、その電子署名者を識別するための識別情報が埋め込まれ、前記アプリケーション実行端末は、前記電子署名付き業務ファイルから前記識別情報を抽出すると共に、前記最新の人事情報又は前記過去の人事情報の少なくとも何れか一方を検索対象として前記識別情報から識別される特定の電子署名者の社内連絡先を少なくとも含む特定の人事情報を前記データベース内で検索することを特徴とする人事情報検索システム。
【請求項２】
請求項１において、前記アプリケーション実行端末は、検索実行前に、前記最新の人事情報及び前記過去の人事情報の何れか、又はそれら両方を検索対象として検索実行するのかを選択可能とする検索対象選択画面を表示することを特徴とする人事情報検索システム。
【請求項３】
請求項１において、前記アプリケーション実行端末は、前記特定の電子署名者に関して前記最新の人事情報と前記過去の人事情報とを検索対象としてそれぞれ検索し、その検索結果が一致しているか否かを判定すると共に、判定結果が不一致の場合に何れの検索結果を表示するのか、又は両方の検索結果を表示するのかを選択可能とする検索結果選択画面を表示することを特徴とする人事情報検索システム。
【請求項４】
請求項１において、前記アプリケーション実行端末は、前記特定の電子署名者に関して前記最新の人事情報と前記過去の人事情報とを検索対象としてそれぞれ検索し、その検索結果が一致しているか否かを判定すると共に、判定結果が一致の場合にその判定結果を画面表示することを特徴とする人事情報検索システム。
【請求項５】
請求項１〜４の何れかにおいて、前記電子署名付き業務ファイルには、前記電子署名の印影が付与され、前記アプリケーション実行端末は、前記印影のクリックにより前記印影に対応する前記特定の人事情報を検索することを特徴とする人事情報検索システム。
【請求項６】
請求項１〜５の何れかにおいて、前記電子署名付き業務ファイルの失効の有無を検証するための電子署名失効情報ディレクトリサーバをさらに具備し、前記アプリケーション実行端末は、前記電子署名失効情報ディレクトリサーバにアクセスして前記電子署名付き業務ファイルの失効の有無を検証するのかを確認する失効確認画面を表示することを特徴とする人事情報検索システム。
【発明の詳細な説明】
【技術分野】
【０００１】
本発明は、所定の会社組織内での最新の人事情報と過去の人事情報との少なくとも何れか一方を検索対象として、電子署名付き業務ファイルからその電子署名者の少なくとも連絡先を含む特定の人事情報の検索を実行することができる人事情報検索システムに関する。
【背景技術】
【０００２】
従来から、ネットワークを介して送受信される電子文章においては、その通信経路で外部から傍受される危険性があり、このような危険性を回避するため、最近になって、電子署名が用いられるようになってきた。
【０００３】
ここで、電子署名とは、デジタル文書の正当性を保証するために付けられる署名情報のことであり、特に、公開鍵暗号方式を応用し、文章の作成者を証明し且つその文章が改竄されていないことを保障する署名方式として「デジタル署名」が周知となっている（例えば、特許文献１参照）。そして、この電子署名は、第三者や受取人等によって偽造できない機能と、署名者が後でそれを否認できない機能とを併せ持つものとなる。
【０００４】
ところで、このような電子署名は、会社組織等において、ネットワークを介した業務ファイルの交換手段として適用されている。会社組織内においては、電子署名付き業務ファイルの内容に関して、例えば、疑問点等が浮上する場合が多く、電子署名者と直接連絡を取りたい場合がある。
【０００５】
しかしながら、会社組織等においては、電子署名を付与した電子証明者（業務担当者）が、電子署名を付与した後に、定期的又は不定期に担当が変更されたり、あるいはその業務自体が消滅していたりする等の場合があり、このような場合には、現在の所属等を調べる必要があるため、電子署名者への連絡を直ぐに取ることができない。このため、電子署名付き業務ファイルの内容に関する疑問点を早期に解決することができないという問題がある。
【０００６】
【特許文献１】特開２００５−９４７０３号公報
【発明の開示】
【発明が解決しようとする課題】
【０００７】
本発明は、上述した事情に鑑み、電子署名付き業務ファイルから電子署名者の少なくとも連絡先を含む特定の人事情報を検索することができて、電子署名者と直ぐに連絡を取ることで電子署名付き業務ファイルの内容に関する疑問点を早期に解決することができる人事情報検索システムを提供することを課題とする。
【課題を解決するための手段】
【０００８】
上記課題を解決する本発明の第１の態様は、データ処理を実行するアプリケーション実行端末と、ネットワークを介して前記アプリケーション実行端末と接続されると共に電子署名付き業務ファイルが格納されるファイルサーバと、所定の会社組織内での社内連絡先を少なくとも含む人事情報として最新の人事情報及び過去の人事情報がそれぞれ整理されて格納されるデータベースとを具備し、前記電子署名付き業務ファイルの電子署名には、その電子署名者を識別するための識別情報が埋め込まれ、前記アプリケーション実行端末は、前記電子署名付き業務ファイルから前記識別情報を抽出すると共に、前記最新の人事情報又は前記過去の人事情報の少なくとも何れか一方を検索対象として前記識別情報から識別される特定の電子署名者の社内連絡先を少なくとも含む特定の人事情報を前記データベース内で検索することを特徴とする人事情報検索システムにある。
【０００９】
かかる第１の態様では、電子署名付き業務ファイルの電子署名から識別情報を抽出し、この識別情報に基づいて、特定の電子署名者の社内連絡先を少なくとも含む特定の人事情報をデータベース内で検索することで、電子署名付き業務ファイルの内容に関して、例えば、疑問点等が浮上した場合に、電子署名者との連絡を直ぐに取ることができ、電子署名者に直接聞くことで、その疑問点を早期に解決することができる。
【００１０】
本発明の第２の態様は、第１の態様において、前記アプリケーション実行端末は、検索実行前に、前記最新の人事情報及び前記過去の人事情報の何れか、又はそれら両方を検索対象として検索実行するのかを選択可能とする検索対象選択画面を表示することを特徴とする人事情報検索システムにある。
【００１１】
かかる第２の態様では、電子署名付き業務ファイルに関し、最新の人事情報及び過去の人事情報の何れか、又はこれら両方の人事情報を適宜選択して、電子署名者の人事情報の検索を実行することができる。
【００１２】
本発明の第３の態様は、第１の態様において、前記アプリケーション実行端末は、前記特定の電子署名者に関して前記最新の人事情報と前記過去の人事情報とを検索対象としてそれぞれ検索し、その検索結果が一致しているか否かを判定すると共に、判定結果が不一致の場合に何れの検索結果を表示するのか、又は両方の検索結果を表示するのかを選択可能とする検索結果選択画面を表示することを特徴とする人事情報検索システムにある。
【００１３】
かかる第３の態様では、最新の人事情報と過去の人事情報とを検索対象としてそれぞれ検索し、その検索結果が不一致の場合に、最新の人事情報に基づく検索結果、過去の人事情報に基づく検索結果、又はこれら両方の検索結果の何れかを選択し、選択した検索結果を画面表示させることができる。
【００１４】
本発明の第４の態様は、第１の態様において、前記アプリケーション実行端末は、前記特定の電子署名者に関して前記最新の人事情報と前記過去の人事情報とを検索対象としてそれぞれ検索し、その検索結果が一致しているか否かを判定すると共に、判定結果が一致の場合にその判定結果を画面表示することを特徴とする人事情報検索システムにある。
【００１５】
かかる第４の態様では、最新の人事情報と過去の人事情報とを検索対象としてそれぞれ検索し、検索結果が一致の場合に、最新の人事情報に基づく検索結果と、過去の人事情報に基づく検索結果との何れかを選択することなく、特定の電子署名者の人事情報を自動的に表示させることができる。
【００１６】
本発明の第５の態様は、第１〜４の何れかの態様において、前記電子署名付き業務ファイルには、前記電子署名の印影が付与され、前記アプリケーション実行端末は、前記印影のクリックにより前記印影に対応する前記特定の人事情報を検索することを特徴とする人事情報検索システムにある。
【００１７】
かかる本発明の第５の態様では、電子署名の印影から特定の電子署名者の人事情報を検索することができる。
【００１８】
本発明の第６の態様は、第１〜５の何れかの態様において、前記電子署名付き業務ファイルの失効の有無を検証するための電子署名失効情報ディレクトリサーバをさらに具備し、前記アプリケーション実行端末は、前記電子署名失効情報ディレクトリサーバにアクセスして前記電子署名付き業務ファイルの失効の有無を検証するのかを確認する失効確認画面を表示することを特徴とする人事情報検索システムにある。
【００１９】
かかる第６の態様では、電子署名付き業務ファイルの署名検証を行うことができる。
【発明の効果】
【００２０】
本発明に係る人事情報検索システムは、電子署名付き業務ファイルに基づいて、データベース内でその電子署名者の連絡先を少なくとも含む特定の人事情報を検索し、その検索結果を取得することにより、電子署名付き業務ファイルの内容に関し、例えば、疑問点等が浮上した場合に、電子署名者との連絡を直ぐに取ることができ、電子署名者に直接聞くことで、その疑問点を早期に解決することができるという効果を奏するものである。
【発明を実施するための最良の形態】
【００２１】
以下、本発明を実施形態に基づいて詳細に説明する。
【００２２】
（実施形態１）
図１は、本発明の実施形態１に係る人事情報検索システムの概略構成図である。本実施形態の人事情報検索システムは、図１に示すように、所定のデータ処理を実行するアプリケーション実行端末１０と、電子署名付き業務ファイル１が格納されたファイルサーバ２０と、所定の会社組織内の人事情報が格納された人事データベース３０とが、所定のネットワーク４０を介して接続されたシステム構成となっている。
【００２３】
ここで、電子署名付き業務ファイル１には、例えば、表紙等の署名欄に記入された担当者名の箇所に印影が埋め込まれている。また、この電子署名付き業務ファイル１の電子署名には、その電子署名者を識別するための識別情報が埋め込まれており、本実施形態では、社員コードが識別情報として埋め込まれている。
【００２４】
社員コードは、例えば、１人の社員に個別に付与されたコードであり、具体的には、（ＩＤ）番号、記号、文字等により構成される。なお、本実施形態では、この電子署名付き業務ファイル１には、実際に電子署名が施された日（電子署名日）に関する情報も埋め込まれている。また、電子署名日は、電子署名付き業務ファイルに埋め込んでもよいし埋め込まなくてもよい。
【００２５】
そして、本実施形態では、詳細は後述するが、このような印影をマウス等でクリックすることで、電子署名に埋め込まれた識別情報等が抽出され、識別情報等に基づいて、人事データベース３０内での人事情報の検索が開始されるようになっている。
【００２６】
また、人事データベース３０には、所定の会社組織内での社内連絡先を少なくとも含む人事情報として最新の人事情報と過去の人事情報とがそれぞれ格納されており、これら最新の人事情報と過去の人事情報とは、人事データベース３０内で整理されている。例えば、本実施形態では、最新の人事情報が格納される最新データベース３０１と、過去の人事情報が格納される過去データベース３０２とに区別して人事データベース３０を構築した。
【００２７】
ここで、最新の人事情報及び過去の人事情報としては、例えば、会社組織内での役職や担当部署等、又はこれらに関連する住所や連絡先、社員コード等の情報が挙げられ、このような基本組織に関する情報に、個人連絡先として、例えば、社内住所、社内電話番号（例えば、内線番号や携帯番号等）、社内メールアドレス、職務経歴、専門分野、自宅の連絡先等が更に含まれていてもよい。なお、過去の人事情報には、例えば、各社員が担当した業務等に関する情報が含まれていてもよいし、業務を引き継いだ次の担当者や部署等の情報が含まれていてもよい。
【００２８】
また、最新の人事情報と過去の人事情報とは、例えば、本実施形態では、上述した社員コードと会社内で組織変更等を行った日（組織変更日）とで整理され、これら社員コードと組織変更日とで特定できるようになっている。
【００２９】
そして、本実施形態の人事情報検索システムでは、アプリケーション実行端末１０からネットワーク４０を介してファイルサーバ２０にアクセスし、電子署名付き業務ファイル１の印影をマウス等でクリックすることにより、そこからネットワーク４０を介して人事データベース３０に自動的にアクセスし、人事データベース３０内での人事情報の検索が実行されるようになっている。
【００３０】
具体的には、本実施形態のアプリケーション実行端末１０は、最新データベース３０１又は過去データベース３０２の少なくとも何れか一方を検索対象とし、電子署名付き業務ファイル１の電子署名者の人事情報を検索する人事情報検索手段１１０を具備する。また、この人事情報検索手段１１０は、本実施形態では、検索実行前に、検索対象を選択するための検索対象選択画面を表示する画面表示手段１１１を有する。詳細には、この画面表示手段１１１は、最新データベース３０１又は過去データベース３０２の何れかを検索対象とするのか、又はそれら両方を検索対象とするのかを、その都度、適宜選択することができる検索対象選択画面をディスプレイ等に表示する機能を備えている。
【００３１】
例えば、本実施形態では、画面表示手段１１１は、図２に示す検索対象選択画面２をディスプレイ等に表示する。図２は、検索対象選択画面の一例を示す概略図である。この検索対象選択画面２には、最新データベース３０１の検索ボタン２ａと、過去データベース３０２の検索ボタン２ｂと、最新データベース３０１及び過去データベース３０２を網羅した人事データベース３０の検索ボタン２ｃとがそれぞれ配置されている。そして、ユーザは、これら各検索ボタン２ａ、２ｂ、２ｃの何れか１つをマウス等でクリックすることにより、選択した検索モードでの人事情報の検索が実行される。
【００３２】
また、このような人事情報検索手段１１０は、電子署名付き業務ファイル１から社員コードと電子署名日とを基本情報として抽出する情報抽出手段１１２を有する。電子署名付き業務ファイル１からの基本情報の抽出処理は、上述した検索対象選択画面２内の各検索ボタン２ａ、２ｂ、２ｃの何れか１つの検索ボタンを押した時点で開始される。すなわち、情報抽出手段１１２は、検索対象選択画面２内の何れの検索ボタン２ａ、２ｂ、２ｃを押しても、上述した基本情報の抽出処理を実行する。
【００３３】
そして、このような構成の人事情報検索手段１１０は、検索対象選択画面２を表示した後、この検索対象選択画面２内の何れか１つの検索ボタン２ａ、２ｂ、２ｃが押されると、情報抽出手段１１２によって電子署名付き業務ファイル１から社員コードと電子署名日とを抽出すると共に、押した検索ボタン２ａ、２ｂ、２ｃに対応する所定のデータベースに自動的にアクセスし、社員コードから電子署名者を特定すると共に、電子署名日に対応する電子署名者の人事情報を検索するようになっている。この検索において電子署名日を抽出しているのは、電子署名者が複数回移動している場合等を考慮し、実際に署名を行った時点での人事情報を特定するためである。また、社員コードから電子署名者を特定する処理としては、例えば、本実施形態では、電子署名付き業務ファイル１から抽出した社員コードと、人事データベース３０内に格納された人事情報に含まれる社員コードとが一致するか否かで行うようにした。
【００３４】
なお、このような人事情報検索手段１１０を有するアプリケーション実行端末１０は、ネットワーク４０を介して情報を通信することができる情報通信機器であればよく、例えば、パーソナルコンピュータ（ＰＣ）、携帯端末、及び携帯電話などが挙げられるが、勿論これらに限定されるものではない。また、このようなアプリケーション実行端末１０は、ファイルサーバ２０や人事データベース３０にネットワーク４０を介して接続されているが、このようなネットワーク４０としては、例えば、ＬＡＮ等の専用線やインターネット等の接続手段が挙げられ、本実施形態では、社内の専用回線とした。
【００３５】
以下、図３〜図６を参照して、上述した本実施形態の人事情報検索システムの動作について説明する。図３は、本発明の実施形態１に係る人事情報検索システムの動作を示すシーケンスである。なお、図３に示す例は、アプリケーション実行端末が主体となって実行する動作である。また、図４は、電子署名付き業務ファイルの一例を示す概略図である。さらに、図５は、本発明の実施形態１に係る人事情報検索システムの検索画面の一例を示す概略図であり、図６は、検索結果画面の一例を示す概略図である。
【００３６】
図３に示すように、まず、アプリケーション実行端末１０からネットワーク４０を介してファイルサーバ２０にアクセスし（ステップＳ１）、ファイルサーバ２０内に格納されている電子署名付き業務ファイル１を開く（ステップＳ２）。本実施形態では、電子署名付き業務ファイル１として、図４に示す基本設計書を開いた。この基本設計書の署名欄には、Ａ氏、Ｂ氏、Ｃ氏の電子署名が施されている。
【００３７】
次に、電子署名付き業務ファイル１の印影をマウス等でクリック（ステップＳ３）すると、人事情報検索手段１１０が起動する（ステップＳ４）。ここでは、図４に示す基本設計書においてマウスによりＣ氏の印影をクリックする。これにより、画面表示手段１１１は、図５に示すように、最新データベース３０１の検索ボタン２ａと、過去データベース３０２の検索ボタン２ｂと、人事データベース３０の検索ボタン２ｃとを有する検索対象選択画面２をディスプレイ等に表示する（ステップＳ５）。そして、ユーザは、アプリケーション実行端末１０を介して、ディスプレイ等に表示された検索対象選択画面２から、各選択ボタン２ａ、２ｂ、２ｃのうち１つの検索ボタンを押す（ステップＳ６）ことで人事情報の検索が実行される。
【００３８】
具体的には、ユーザが検索対象選択画面２の検索ボタン２ａ、２ｂ、２ｃの何れか１つ、ここでは過去データベースの検索ボタン２ｂを押すことで、情報抽出手段１１２によって電子署名付き業務ファイル１から基本情報を抽出する（ステップＳ７）。本実施形態では、基本情報として社員コードと電子署名日とを抽出した。また、人事情報検索手段１１０は、検索対象選択画面２で選択した所定のデータベース、ここでは過去データベース３０２にネットワーク４０を介してアクセスする（ステップＳ８）。そして、人事情報検索手段１１０は、抽出した社員コードと電子署名日とに基づいて、電子署名付き業務ファイル１（基本設計書）の電子署名者、本実施形態では、Ｃ氏の人事情報を過去データベース３０２内で検索する（ステップＳ９）。
【００３９】
そして、本実施形態では、アプリケーション実行端末１０を介して、過去データベース３０２からＣ氏の過去の人事情報、具体的には、電子署名日に対応するＣ氏の人事情報（検索結果）を抽出し（ステップＳ１０）、その検索結果をディスプレイ等に表示する（Ｓ１１）。ここで、ディスプレイに表示した検索結果の一例を図６に示す。図６では、Ｃ氏の人事情報として、会社部署及びその所在地、役職、社員コード、名前、携帯番号等を含む部署組織構成画面３を表示した例を示す。
【００４０】
以上説明したように、本実施形態の人事情報検索システムでは、電子署名付き業務ファイル１に基づいて、人事データベース３０内から、その電子署名者の連絡先を少なくとも含む特定の人事情報を取得するようにしたので、電子署名付き業務ファイル１の内容に関し、例えば、疑問点等が浮上した場合、電子署名者との連絡を直ぐに取ることができ、電子署名者に直接聞くことで、その疑問点を早期に解決することができる。また、本実施形態では、電子署名者を含む部署組織構成画面３を画面表示するようにしたので、例えば、電子署名者の業務関係者等に連絡することも可能となる。
【００４１】
（実施形態２）
図７は、本発明の実施形態２に係る人事情報検索システムの概略構成図である。また、図８は、本発明の実施形態２に係る失効確認画面の一例を示す概略図である。本実施形態の人事情報検索システムは、図７及び図８に示すように、電子署名の失効の有無を確認する電子署名失効情報ディレクトリサーバ５０とアプリケーション実行端末１０とをネットワーク４０で接続し、画面表示手段１１１が電子署名付き業務ファイル１の失効の有無を検証するか否かを確認する失効確認画面２Ａを表示するようにした以外、上述した実施形態１と同様である。
【００４２】
アプリケーション実行端末１０は、例えば、電子署名付き業務ファイル１の印影をマウス等でクリックすると、画面表示手段１１１が失効確認画面２Ａを表示し、失効確認ボタン２ｄを押すことで、ネットワーク４０を介して電子署名失効情報ディレクトリサーバ５０にアクセスするようになっている。そして、電子署名失効情報ディレクトリサーバ５０では、格納された電子署名失効情報４と電子署名付き業務ファイル１の情報とを照合することで、電子署名付き業務ファイルの失効の有無を確認できるようになっている。なお、失効確認画面２Ａは、実施形態１の検索対象選択画面を兼ねている。すなわち、失効確認画面２Ａからは、実施形態１と同様に、電子署名付き業務ファイル１の電子署名者に関する人事情報の検索を開始できるようになっている。
【００４３】
このように本実施形態の人事情報検索システムでは、電子署名付き業務ファイル１について、電子署名者の人事情報の取得前又は取得後に、電子署名失効情報ディレクトリサーバ５０で電子署名付き業務ファイル１の失効情報を取得することができるため、用途に合わせた人事情報の検索を適宜行うことができる。
【００４４】
（実施形態３）
図９は、本発明の実施形態３に係る人事情報検索システムの概略構成図である。本実施形態の人事情報検索システムは、図９に示すように、アプリケーション実行端末１０Ａ内に連絡先検索手段１２０をさらに設け、このアプリケーション実行端末１０Ａと、最新の人事情報と過去の人事情報とを整理して格納した人事データベース３０Ａと、社員の電子メール５を格納した電子メールデータベース６０と、社員の住所録等の電子電話帳６を格納した電子電話帳データベース７０とをそれぞれネットワーク４０によって接続した以外、上述した実施形態１と同様である。
【００４５】
そして、このような人事情報検索システムでは、上述した実施形態１と同様に、電子署名付き業務ファイル１から電子署名者の人事情報を検索する一方、本実施形態では、さらに、アプリケーション実行端末１０Ａが電子メールデータベース６０及び電子電話帳データベース７０の少なくとも何れか一方にアクセスし、連絡先検索手段１２０により電子署名者の連絡先を適宜取得することができるようになっている。
【００４６】
このように、本実施形態の人事情報検索システムでは、人事データベース３０と、電子メールデータベースと、電子電話帳データベースとをそれぞれ設けることで、電子署名付き業務ファイル１の電子署名者の人事情報を取得しつつ、電子署名者の連絡先、すなわち、電子メール又は電子電話帳等の情報を適宜取得することができる。
【００４７】
（他の実施形態）
以上本発明を実施形態１〜３に基づいて説明したが、本発明は上述した実施形態１〜３に限定されるものではない。例えば、上述した実施形態１〜３では、画面表示手段によって検索対象選択画面を表示し、その検索対象選択画面内の何れかの検索ボタンを押すことで検索を開始するようにしたが、勿論これに限定されず、例えば、電子署名付き業務ファイルの印影をマウス等でクリックすることで検索を開始するようにしてもよい。
【００４８】
この場合、アプリケーション実行端末では、最新の人事情報と過去の人事情報とをそれぞれ別々に検索し、その検索結果が一致しているか否かを判定するようにしてもよい。そして、判定結果が不一致の場合、すなわち、人事変更している等の場合には、何れの検索結果を表示するのか、又は両方の検索結果を表示するのかを選択するための検索結果選択画面を表示するようにしてもよい。また、アプリケーション実行端末では、特定の電子署名者に関して最新の人事情報と過去の人事情報とをそれぞれ検索した後、その検索結果が一致しているか否かを判定し、判定結果が一致の場合、すなわち、人事変更していない等の場合には、その判定結果を画面表示するようにしてもよい。
【図面の簡単な説明】
【００４９】
【図１】本発明の実施形態１に係る人事情報検索システムの概略構成図である。
【図２】本発明の実施形態１に係る検索対象選択画面の一例を示す概略図である。
【図３】本発明の実施形態１に係る人事情報検索システムの動作を示すシーケンスである。
【図４】本発明の実施形態１に係る電子署名付き業務ファイルの一例を示す概略図である。
【図５】本発明の実施形態１に係る人事情報検索システムの検索画面の一例を示す概略図である。
【図６】本発明の実施形態１に係る検索結果画面の一例を示す概略図である。
【図７】本発明の実施形態２に係る人事情報検索システムの概略構成図である。
【図８】本発明の実施形態２に係る失効確認画面の一例を示す概略図である。
【図９】本発明の実施形態３に係る人事情報検索システムの概略構成図である。
【符号の説明】
【００５０】
１  電子署名付き業務ファイル
２  検索対象選択画面
３  部署組織構成画面
４  電子署名失効情報
１０  アプリケーション実行端末
２０  ファイルサーバ
３０  人事データベース
４０  ネットワーク
５０  電子署名失効情報ディレクトリサーバ
６０  電子メールデータベース
７０  電子電話帳データベース
１１０  人事情報検索手段
１１１  画面表示手段
１１２  情報抽出手段
１２０  連絡先検索手段
３０１  最新データベース
３０２  過去データベース
【図１】
2007004259.tif 000003
【図２】
2007004259.tif 000004
【図３】
2007004259.tif 000005
【図４】
2007004259.tif 000006
【図５】
2007004259.tif 000007
【図６】
2007004259.tif 000008
【図７】
2007004259.tif 000009
【図８】
2007004259.tif 000010
【図９】
2007004259.tif 000011